(57)【要約】【課題】液晶パネルに静止画像を、長時間、表示した場合であっても、液晶パネルの焼き付きによる画像の劣化を防止することができる投射型映像表示装置を提供することを目的とする。【解決手段】液晶プロジェクタ１は、液晶ドライバ３〜５と、液晶ドライバ３〜５によって駆動される液晶パネル６〜８とを備えている。また、液晶プロジェクタ１は、コンピュータ５０から入力された表示モード信号により判定した表示モードに基づいて、液晶ドライバ３〜５を介して、液晶パネル６〜８に印加される映像信号の振幅の最大値を設定する振幅設定部９を備えている。【選択図】図１
2008089878.tif 000002
【特許請求の範囲】
【請求項１】
液晶ドライバと、
前記液晶ドライバによって駆動される液晶パネルと、
外部から入力された表示モード信号に基づいて、前記液晶パネルの表示モードを判定するとともに、判定した前記表示モードに基づいて、前記液晶ドライバを介して、前記液晶パネルに印加される映像信号の振幅の最大値を設定する振幅設定手段と、
を備えたことを特徴とする投射型映像表示装置。
【請求項２】
前記振幅設定手段は、前記表示モードが静止画モードであると判定した場合は、前記映像信号の振幅の最大値を、予め設定した複数の振幅値のうち、最も小さい振幅値に設定し、前記表示モードが動画モードであると判定した場合は、前記映像信号の振幅の最大値を、予め設定した複数の振幅値のうち、最も大きい振幅値に設定することを特徴とする請求項１に記載の投射型映像表示装置。
【請求項３】
前記振幅設定手段は、前記映像信号の動きベクトルに基づいて、前記液晶パネルに表示される画像を判定するとともに、判定した前記画像に基づいて、前記映像信号の振幅の最大値を、再度、設定することを特徴とする請求項１または請求項２に記載の投射型映像表示装置。
【請求項４】
前記振幅設定手段は、前記画像が静止画であると判定した場合は、前記映像信号の振幅の最大値を、予め設定した前記複数の振幅値のうち、最も小さい振幅値に、再度、設定し、前記画像が動画であると判定した場合は、前記映像信号の振幅の最大値を、予め設定した前記複数の振幅値のうち、最も大きい振幅値に、再度、設定することを特徴とする請求項３に記載の投射型映像表示装置。
【請求項５】
予め設定された投射型映像表示装置の起動時間を記憶する記憶手段と、
電源をＯＮした時点から投射型映像表示装置の起動時間を計測する計測手段と、
前記予め設定された投射型映像表示装置の起動時間と、前記計測手段により計測された投射型映像表示装置の起動時間とを比較し、前記比較の結果に基づいて、前記振幅設定手段が、前記映像信号の振幅の最大値を、再度、設定するように、前記振幅設定手段を制御する制御手段と、
を更に備えたことを特徴とする請求項１または請求項２に記載の投射型映像表示装置。
【請求項６】
前記制御手段は、前記計測手段により計測された投射型映像表示装置の起動時間が、前記予め設定された投射型映像表示装置の起動時間を越えた場合に、前記映像信号の振幅の最大値を、予め設定した前記複数の振幅値のうち、最も小さい振幅値に、再度、設定するように、前記振幅設定手段を制御することを特徴とする請求項５に記載の投射型映像表示装置。
【発明の詳細な説明】
【技術分野】
【０００１】
本発明は、液晶プロジェクタ等の投射型映像表示装置に関する。
【背景技術】
【０００２】
近年、コンピュータ画面の映像を拡大してスクリーン上に投影させる、液晶プロジェクタ等の投射型映像表示装置は、プレゼンテーション等で幅広く利用されている。この液晶プロジェクタにおいては、外部（例えば、コンピュータ）から液晶プロジェクタに入力された映像信号に対して、デジタル変換等の所定の信号処理を施した後、信号処理が施された映像信号が、液晶ドライバへと出力される。そして、液晶ドライバが、当該映像信号に基づいて、液晶パネルを駆動して、液晶パネルに映像信号が書き込まれ、液晶パネルに画像が形成される。そして、液晶パネルに形成された画像上に光を透過させて、赤色（Ｒ）、緑色（Ｇ）、青色（Ｂ）の映像光を生成させ、これらの映像光をプリズムにより合成して、カラー映像光を生成させ、当該カラー映像光を、投与レンズによって拡大投与して、スクリーン上に投影する構成となっている。
【０００３】
また、一般に、液晶プロジェクタに使用される液晶パネルとしては、各画素電極に電気的に接続された薄膜トランジスタ（ＴＦＴ：Ｔｈｉｎ  Ｆｉｌｍ  Ｔｒａｎｓｉｓｔｏｒ）をスイッチング素子として用いたアクティブマトリクス方式の液晶表示素子により形成した液晶パネルが用いられている。
【０００４】
ここで、薄膜トランジスタ等の能動素子を画素毎の制御に使用している液晶プロジェクタ等のアクティブマトリクス型の映像表示装置において、例えば、電圧保持型の能動素子を使用している場合、薄膜トランジスタのオフ時の暗電流と付加されている保持容量により、能動素子の保持特性が左右されることが一般に知られている。特に、強い光を入射する液晶プロジェクタにおいては、薄膜トランジスタのオフ時の保持特性が、光のエネルギーにより悪化し、リーク電流が発生することが知られている。
【０００５】
このため、液晶表示装置においては、上述の光による保持特性の低下を考慮して、液晶駆動用のコモン電極に印加される電圧（以下、「コモン電圧」という。）の直流レベルを決め、液晶に対して直流電圧が印加されないようにするとともに、フリッカの発生をできるだけ抑制するようにしている。より具体的には、例えば、赤色用、緑色用、および青色用の液晶パネルの各々に対して、独立に最適なコモン電圧を供給するコモン電圧供給回路を設けた液晶表示装置が開示されている。このような構成により、フリッカの発生を抑制して良好な表示品質を得ることができると記載されている（例えば、特許文献１参照）。
【０００６】
また、一般に、液晶パネルに静止画像が長時間（１〜２時間程度）表示されることにより、液晶パネルの焼き付きが発生する。液晶パネルに静止画像が表示されている場合、その静止画像を構成する各画素に対して、電圧が印加されている状態が継続することになるが、画像の表示を行っていない各画素に対しては、電圧が印加されない状態が継続することとなる。その結果、静止画像が、長時間、表示された場合（即ち、同じ領域の画素に対して、長時間、電圧が印加された場合）、いわゆるゴースト（画像の表示を行っている画素の液晶が、画像の切り換えを行った後も、画像を切り換える前の分子状態を、一定時間、保持し、画像を切り替える前の状態が残像となって表示される現象）が発生し、液晶パネルの焼き付きが発生する。そして、この場合は、印加電圧（即ち、入力される映像信号の振幅）が大きければ大きい程、コモン電圧が、上述の最適なコモン電圧からズレるため、液晶に印加される直流電圧も大きくなり、結果として、液晶パネルに焼き付きが発生するものと考えられる。
【０００７】
そこで、この不都合を回避すべく、液晶パネルに静止画像を長時間表示することにより、液晶パネルの焼き付けが発生する場合、人為的に最適なコモン電圧のレベルを調整し、目視により液晶パネルの焼き付きを目立たなくする方法が使用されている。
【特許文献１】特開平５−１６５００７号公報
【発明の開示】
【発明が解決しようとする課題】
【０００８】
しかしながら、上述のリーク電流は、表示素子に入射される光の量（即ち、液晶プロジェクタにおける、バックライトや光源による光の量）にも依存する。従って、液晶プロジェクタの使用開始時においては、上述のフリッカの発生が抑制できるように、液晶パネルの各々に対して、独立に最適なコモン電圧が調整されていても、経年変化等により、バックライトや光源の光量が減少し、また、液晶パネルの周辺温度も変化するため、リーク電流自体も変化し、調整された最適なコモン電圧からズレが生じてしまう。その結果、液晶パネルに静止画像を、長時間、表示する際に、液晶に直流電圧が印加されることになり、液晶パネルに焼き付きが発生という問題があった。
【０００９】
また、上記の目視により液晶パネルの焼き付きを観測する方法においては、コモン電圧を手動で調整するため、最適なコモン電圧を設定する際に、バラツキが生じてしまう。従って、液晶パネルに静止画像を、長時間、表示する際に、液晶パネルの焼き付きによる画像の劣化を効果的に防止することが困難になるという問題があった。
【００１０】
そこで、本発明は、上述の問題に鑑みてなされたものであり、液晶パネルに静止画像を、長時間、表示した場合であっても、液晶パネルの焼き付きによる画像の劣化を防止することができる投射型映像表示装置を提供することを目的とする。
【課題を解決するための手段】
【００１１】
上記目的を達成するために、請求項１に記載の発明は、液晶ドライバと、液晶ドライバによって駆動される液晶パネルと、外部から入力された表示モード信号に基づいて、液晶パネルの表示モードを判定するとともに、判定した表示モードに基づいて、液晶ドライバを介して、液晶パネルに印加される映像信号の振幅の最大値を設定する振幅設定手段とを備えたことを特徴とする。
【００１２】
同構成によれば、表示モード（例えば、動画モードや静止画モード）に基づいて、液晶パネルに印加される映像信号の振幅の最大値を設定することができる。従って、液晶パネルに静止画を、長時間、表示した場合であっても、液晶パネルの焼き付きを効果的に抑制することが可能になる。その結果、液晶パネルの焼き付きによる画像の劣化を防止することができる。また、液晶パネルに動画を表示する場合に、液晶パネルにおける高コントラストを維持することが可能になる。
【００１３】
請求項２に記載の発明は、請求項１に記載の投射型映像表示装置であって、振幅設定手段は、表示モードが静止画モードであると判定した場合は、映像信号の振幅の最大値を、予め設定した複数の振幅値のうち、最も小さい振幅値に設定し、表示モードが動画モードであると判定した場合は、映像信号の振幅の最大値を、予め設定した複数の振幅値のうち、最も大きい振幅値に設定することを特徴とする。
【００１４】
同構成によれば、簡単な構成で、静止画モードにおいて、液晶パネルの焼き付きを効果的に抑制することができるとともに、動画モードにおいて、液晶パネルにおける高コントラストを維持することができる。
【００１５】
請求項３に記載の発明は、請求項１または請求項２に記載の投射型映像表示装置であって、振幅設定手段は、映像信号の動きベクトルに基づいて、液晶パネルに表示される画像を判定するとともに、判定した画像に基づいて、映像信号の振幅の最大値を、再度、設定することを特徴とする。
【００１６】
同構成によれば、液晶パネルに表示される画像の種類に対応して、液晶パネルに印加される映像信号の振幅の最大値を、再度、設定することができる。その結果、液晶パネルに静止画を表示する場合に、液晶パネルの焼き付きをより一層効果的に抑制することが可能になる。また、液晶パネルに動画を表示する場合に、液晶パネルにおける高コントラストをより一層効果的に維持することが可能になる。
【００１７】
請求項４に記載の発明は、請求項３に記載の投射型映像表示装置であって、振幅設定手段は、画像が静止画であると判定した場合は、映像信号の振幅の最大値を、予め設定した複数の振幅値のうち、最も小さい振幅値に、再度、設定し、画像が動画であると判定した場合は、映像信号の振幅の最大値を、予め設定した複数の振幅値のうち、最も大きい振幅値に、再度、設定することを特徴とする。
【００１８】
同構成によれば、簡単な構成で、静止画モードにおいて、液晶パネルの焼き付きをより一層効果的に抑制することができるとともに、動画モードにおいて、液晶パネルにおける高コントラストをより一層効果的に維持することができる。
【００１９】
請求項５に記載の発明は、請求項１または請求項２に記載の投射型映像表示装置であって、予め設定された投射型映像表示装置の起動時間を記憶する記憶手段と、電源をＯＮした時点から投射型映像表示装置の起動時間を計測する計測手段と、予め設定された投射型映像表示装置の起動時間と、計測手段により計測された投射型映像表示装置の起動時間とを比較し、比較の結果に基づいて、振幅設定手段が、映像信号の振幅の最大値を、再度、設定するように、振幅設定手段を制御する制御手段とを更に備えたことを特徴とする。
【００２０】
同構成によれば、投射型映像表示装置の起動時間に対応して、液晶パネルに印加される映像信号の振幅の最大値を、再度、設定することができる。従って、投射型映像表示装置が長時間、起動される場合においても、コントラストが良い状態を最大限に維持しながら、液晶パネルの焼き付きをより一層効果的に抑制することが可能になる。
【００２１】
請求項６に記載の発明は、請求項５に記載の投射型映像表示装置であって、制御手段は、計測手段により計測された投射型映像表示装置の起動時間が、予め設定された投射型映像表示装置の起動時間を越えた場合に、映像信号の振幅の最大値を、予め設定した前記複数の振幅値のうち、最も小さい振幅値に、再度、設定するように、振幅設定手段を制御することを特徴とする。
【００２２】
同構成によれば、簡単な構成で、投射型映像表示装置が長時間、起動される場合においても、コントラストが良い状態を最大限に維持しながら、液晶パネルの焼き付きをより一層効果的に抑制することが可能になる。
【発明の効果】
【００２３】
本発明の投射型映像表示装置によれば、液晶パネルに静止画を、長時間、表示した場合であっても、液晶パネルの焼き付きを効果的に抑制することができ、液晶パネルの焼き付きによる画像の劣化を防止することができる。また、液晶パネルに動画を表示する場合に、液晶パネルにおける高コントラストを維持することができる。
【発明を実施するための最良の形態】
【００２４】
（第１の実施形態）
以下に、本発明の具体的な実施形態について図面を参照しながら説明する。図１は、本発明の第１の実施形態に係る投射型映像表示装置の構成を示すブロック図である。なお、本実施形態では、投射型映像表示装置として、液晶プロジェクタを例に挙げて説明する。
【００２５】
この液晶プロジェクタ１は、図１に示すように、外部（例えば、コンピュータ５０）から、液晶プロジェクタ１に入力された映像信号（即ち、ＲＧＢビデオ信号）に対して、所定の信号処理を施す信号処理部２と、信号処理部２により信号処理が施された映像信号が入力されるとともに、表示モードを判定し、判定した表示モードに基づいて、赤色用液晶ドライバ３、緑色用液晶ドライバ４、および青色用液晶ドライバ５（以下、「液晶ドライバ３〜５」という場合がある。）を介して、赤色用液晶パネル６、緑色用液晶パネル７、および青色用液晶パネル８（以下、「液晶パネル６〜８」という場合がある。）に印加される映像信号の振幅（即ち、液晶パネル６〜８に印加される映像信号の電圧）の最大値を設定する振幅設定手段である振幅設定部９を備えている。また、液晶プロジェクタ１は、液晶プロジェクタ１に入力される映像信号の水平同期信号Ｈｓｙｎｃ、垂直同期信号Ｖｓｙｎｃに基づいて、各液晶ドライバ３〜５、および液晶パネル６〜８に対してタイミング信号を供給するタイミングコントローラ１０と、各液晶パネル６〜８のコモン電極に印加されるコモン電圧を出力するコモン電圧発生部１１とを備えている。
【００２６】
なお、液晶ドライバ３〜５によって駆動される液晶パネル６〜８としては、例えば、シフトレジスタを内蔵するとともに、アクティブマトリクス方式の薄膜トランジスタ（ＴＦＴ：Ｔｈｉｎ  Ｆｉｌｍ  Ｔｒａｎｓｉｓｔｏｒ）を用いた液晶パネルが採用できる。即ち、複数の画素がｍ×ｎのマトリクス状に配列された有効画素部と、各走査ラインを駆動する垂直走査回路と、各水平ラインを走査する水平走査回路と、スイッチング素子としての薄膜トランジスタを備える液晶パネルを使用することができる。
【００２７】
また、液晶プロジェクタ１は、信号処理部２や振幅設定部９等の制御を行う制御手段としてのＣＰＵ１２と、記憶手段であるＲＯＭ１３およびＲＡＭ１４を備えている。このＲＯＭ１３、およびＲＡＭ１４はＣＰＵ１２に接続されており、ＣＰＵ１２は、ＲＯＭ１３に記憶されているプログラムに従い、各部の制御を行う。
【００２８】
また、ＣＰＵ１２には、リモコン信号受光部１６が接続されており、当該リモコン信号受光部１６は、リモコン１７からのリモコン信号を受信して、ＣＰＵ１２に供給する構成となっている。
【００２９】
以上の構成の下、コンピュータ５０から液晶プロジェクタ１に入力された映像信号Ｒ、Ｇ、Ｂは、水平同期信号Ｈｓｙｎｃ、垂直同期信号Ｖｓｙｎｃを受けた信号処理部２に送られ、所定の信号処理が施される。より具体的には、信号処理部２は、コンピュータ５０から入力される映像信号Ｒ、Ｇ、Ｂに対し、当該映像信号がアナログ信号の場合は、まず、適切なタイミングでサンプリングするとともに、デジタル信号に変換し、ブライトやコントラストを調整し、ガンマ補正をかけたりして、信号処理が施された映像信号Ｒ、Ｇ、Ｂを生成する。
【００３０】
次いで、信号処理部２により信号処理が施された映像信号Ｒ、Ｇ、Ｂが、振幅設定部９に入力されるとともに、コンピュータ５０から、表示モード（即ち、動画モード、静止画モード）に関する信号（以下、「表示モード信号」という。）が、振幅設定部９に入力される。そして、振幅設定部９は、入力された表示モード信号に基づいて、表示モードを判定するとともに、判定した表示モードに基づいて、液晶ドライバ３〜５を介して、液晶パネル６〜８に印加される映像信号Ｒ、Ｇ、Ｂの振幅の最大値を設定する。
【００３１】
ここで、液晶パネルに印加される映像信号の振幅の最大値について説明する。図２は、液晶パネルに印加される映像信号の電圧と、透過率との関係を示す図である。図２に示すように、一般に、液晶パネルに印加される映像信号の電圧（即ち、映像信号の振幅）が増大するに従って、透過率が減少する。そして、液晶パネルに対して、表示可能な映像信号の電圧（即ち、振幅）の最大値を超える映像信号が入力された場合、入力された全ての映像信号レベルを表示することができず、十分なコントラストで表示することができなくなる。従って、液晶パネルのコントラストを向上させるためには、通常、映像信号の振幅を最大値に設定して、当該映像信号を液晶パネルに印加する必要があると言える。
【００３２】
また、図３（ａ）〜（ｃ）に示す、振幅の最大値の異なる映像信号（即ち、映像信号Ｓ１の振幅の最大値をＷ１、映像信号Ｓ２の振幅の最大値をＷ２、および映像信号Ｓ３の振幅の最大値をＷ３とした場合に、Ｗ１＞Ｗ２＞Ｗ３の関係を有する映像信号Ｓ１、Ｓ２、Ｓ３）を、静止画モードにおいて、液晶パネルに印加した場合の、映像信号Ｓ１〜Ｓ３と液晶パネルの画面の焼き付き率との関係を、図４に示す。図４に示すように、映像信号Ｓ１に比し、振幅の最大値が小さい映像信号Ｓ２を印加した場合の方が、画面の焼き付き率が低く、また、振幅の最大値が最も小さい映像信号Ｓ３を印加した場合、画面の焼き付き率が最も低い（即ち、画面の焼き付きの発生を効果的に抑制できる）が判る。なお、ここでいう焼き付き率とは、以下の（式１）により算出される。
焼き付き率（％）＝（初期の黒パターン部の照度−焼き付き経過時間後の照度）／初期の黒パターン部の照度×１００…（式１）
【００３３】
これは、印加される映像信号の振幅の大きさに比例して、液晶パネルのコモン電極に印加されるコモン電圧の、最適なコモン電圧（即ち、焼き付き防止のための最適な値）からのズレ量が増大する（即ち、蓄積される電荷量が増大する）ため、液晶パネルに印加されるコモン電圧の直流成分が増大するためである。なお、図４における測定条件は、振幅の最大値Ｗ１を有する映像信号Ｓ１として、基準電圧が５．０Ｖの黒信号を使用するとともに、振幅の最大値Ｗ２を有する映像信号Ｓ２として、基準電圧が４．５Ｖの黒信号を使用した。また、振幅の最大値Ｗ３を有する映像信号Ｓ３として、基準電圧が４．０Ｖの黒信号を使用した。また、白信号として、基準電圧が０．０８Ｖのものを使用した。さらに、焼き付きを評価する信号として、中間調（即ち、最高輝度と最低輝度との間の輝度）が５０％のものを使用した。
【００３４】
従って、本実施形態においては、画面の焼き付きの原因となる静止画が、長時間、表示される場合、液晶パネル６〜８に印加される映像信号の振幅の最大値を減少させることにより、各液晶パネル６〜８のコモン電極に印加されるコモン電圧の、最適なコモン電圧からのズレ量を減少させて、画面の焼き付きの発生を効果的に抑制する構成としている。
【００３５】
より具体的には、図５に示すように、信号処理部２により信号処理が施された映像信号Ｒ、Ｇ、Ｂが入力された振幅設定部９に対して、コンピュータ５０から、表示モード信号が入力されると（ステップＳ１）、振幅設定部９は、当該表示モード信号に基づいて、まず、表示モードが動画モードか否かを判定する（ステップＳ２）。そして、動画モードであると判定した場合は、液晶パネル６〜８の画面の焼き付きが発生せず、また、各液晶パネル６〜８における高コントラストを維持するとの観点から、液晶パネル６〜８に印加される映像信号の振幅の最大値を、予め設定した複数の振幅値のうち、最も大きい振幅値に設定する（ステップＳ３）。例えば、複数の振幅値として、上述のＷ１〜Ｗ３が予め設定されている場合であって、液晶パネル６〜８に印加される映像信号がＳ２の場合、映像信号Ｓ２の振幅の最大値Ｗ２を、Ｗ１〜Ｗ３のうち、最も大きい振幅値Ｗ１に設定する。この場合、表示モードは動画モードであるため、映像信号Ｓ２の振幅の最大値Ｗ２を、最も大きい振幅値Ｗ１に設定しても、画面の焼き付きは発生しない。
【００３６】
次いで、振幅設定部９は、動画モードでないと判断した場合は、入力された表示モード信号に基づいて、表示モードが静止画モードであると判断する（ステップＳ４）。そして、静止画モードであると判断した場合は、液晶パネル６〜８の画面の焼き付きの発生を効果的に抑制するとの観点から、液晶パネル６〜８に印加される映像信号の振幅の最大値を、予め設定した複数の振幅値のうち、最も小さい振幅値に設定する（ステップＳ５）。例えば、複数の振幅値として、上述のＷ１〜Ｗ３が予め設定されている場合であって、液晶パネル６〜８に印加される映像信号がＳ２の場合、映像信号Ｓ２の振幅の最大値Ｗ２を、Ｗ１〜Ｗ３のうち、最も小さい振幅値Ｗ３に設定する。
【００３７】
次いで、振幅設定部９は、当該振幅設定部９に入力された映像信号Ｒ、Ｇ、Ｂの動きベクトルに基づいて、液晶パネル６〜８に表示される画像を判定する。そして、振幅設定部９は、判定した画像に基づいて、映像信号Ｒ、Ｇ、Ｂの振幅の最大値を、再度、設定する。より具体的には、振幅設定部９は、まず、映像信号Ｒ、Ｇ、Ｂの動きベクトルに基づいて、静止画が続いていないかを判定する（ステップＳ６）。例えば、当該映像信号Ｒ、Ｇ、Ｂの動きベクトルの水平成分が、予め設定した値以上の時、画像が動画と判定し、予め設定した値よりも小さい時、画像が静止画と判定する。そして、振幅設定部９は、画像が動画である（即ち、静止画が続いていない）と判定した場合は、上述のステップ３の場合と同様に、液晶パネル６〜８に印加される映像信号Ｒ、Ｇ、Ｂの振幅の最大値を、予め設定した複数の振幅値のうち、最も大きい振幅値に、再度、設定する（ステップＳ７）。一方、静止画である（即ち、静止画が続いている）と判定した場合は、振幅設定部９は、上述のステップＳ５の場合と同様に、液晶パネル６〜８に印加される映像信号の振幅の最大値を、予め設定した複数の振幅値のうち、最も小さい振幅値に、再度、設定する（ステップＳ８）。
【００３８】
即ち、上述のステップ２において、表示モード信号に基づいて、動画モードであると判定した場合であって、映像信号Ｒ、Ｇ、Ｂの動きベクトルに基づいて映像が動画であると判定した場合は、液晶パネル６〜８の高コントラストをより一層効果的に維持するとの観点から、液晶パネル６〜８に印加される映像信号Ｒ、Ｇ、Ｂの振幅の最大値を、予め設定した複数の振幅値のうち、最も大きい振幅値（例えば、上述の振幅値Ｗ１）に、再度、設定し、最も大きい振幅値に設定した状態を維持する。一方、上述のステップ２において、表示モード信号に基づいて、動画モードであると判定した場合であって、映像信号Ｒ、Ｇ、Ｂの動きベクトルに基づいて映像が静止画であると判定した場合（例えば、動画表示モードではあるが、所定時間、継続して表示される静止画が含まれた動画の場合）は、液晶パネル６〜８の焼き付きの発生をより一層効果的に抑制するとの観点から、液晶パネル６〜８に印加される映像信号Ｒ、Ｇ、Ｂの振幅の最大値を、上述のステップ３において設定された最も大きい振幅値（例えば、上述の振幅値Ｗ１）から、予め設定した複数の振幅値のうち、最も小さい振幅値（例えば、上述の振幅値Ｗ３）に、再度、設定する。
【００３９】
また、上述のステップ４において、表示モード信号に基づいて、静止画モードであると判定した場合であって、映像信号Ｒ、Ｇ、Ｂの動きベクトルに基づいて映像が動画であると判定した場合（例えば、所定時間、継続して、静止映像が表示されない場合）は、動画表示時における液晶パネル６〜８の高コントラストを効果的に維持するとの観点から、液晶パネル６〜８に印加される映像信号Ｒ、Ｇ、Ｂの振幅の最大値を、上述のステップ５において設定された最も小さい振幅値（例えば、上述の振幅値Ｗ３）から、予め設定した複数の振幅値のうち、最も大きい振幅値（例えば、上述の振幅値Ｗ１）に、再度、設定する。一方、上述のステップ４において、表示モード信号に基づいて、静止画モードであると判定した場合であって、映像信号Ｒ、Ｇ、Ｂの動きベクトルに基づいて映像が静止画であると判定した場合は、液晶パネル６〜８の焼き付きの発生をより一層効果的に抑制するとの観点から、液晶パネル６〜８に印加される映像信号Ｒ、Ｇ、Ｂの振幅の最大値を、予め設定した複数の振幅値のうち、最も小さい振幅値（例えば、上述の振幅値Ｗ３）に、再度、設定し、最も小さい振幅値に設定した状態を維持する。このように、本実施形態においては、液晶パネル６〜８に表示される画像の種類に対応して、液晶パネル６〜８に印加される映像信号Ｒ、Ｇ、Ｂの振幅の最大値を、再度、設定する構成としている。
【００４０】
以上のようにして、振幅設定部９に入力される全ての映像信号Ｒ、Ｇ、Ｂに対して、動きベクトルに基づく動画・静止画の判定を終了すると、液晶パネル６〜８に印加される映像信号Ｒ、Ｇ、Ｂの振幅の最大値を設定する作業が終了する。一方、振幅設定部９に入力される全ての映像信号Ｒ、Ｇ、Ｂに対して、動きベクトルに基づく動画・静止画の判定が終了していない場合は、上述のステップＳ６〜ステップＳ８の作業が繰り返される（ステップＳ９）。
【００４１】
次いで、振幅の最大値が設定された映像信号Ｒ、Ｇ、Ｂは、振幅設定部９により、液晶ドライバ３〜５へと出力され、液晶ドライバ３〜５は、当該映像信号Ｒ、Ｇ、Ｂに基づいて、液晶パネル６〜８を駆動する。より具体的には、液晶ドライバ３は、液晶パネル６を駆動するために、タイミングコントローラ１０により供給されるクロックＣＬＫにより、振幅設定部９から入力された、振幅の最大値が設定された映像信号Ｒを、所定のタイミングで交流反転させ、当該交流反転された映像信号Ｒを液晶パネル６に供給する。また、同様に、液晶ドライバ４は、液晶パネル７を駆動するために、タイミングコントローラ１０により供給されるクロックＣＬＫにより、振幅設定部９から入力された、振幅の最大値が設定された映像信号Ｇを、所定のタイミングで交流反転させ、当該交流反転された映像信号Ｇを液晶パネル７に供給する。また、同様に、液晶ドライバ５は、液晶パネル８を駆動するために、タイミングコントローラ１０により供給されるクロックＣＬＫにより、振幅設定部９から入力された、振幅の最大値が設定された映像信号Ｂを、所定のタイミングで交流反転させ、当該交流反転された映像信号Ｂを液晶パネル８に供給する。
【００４２】
タイミングコントローラ１０は、映像信号Ｒ、Ｇ、Ｂの水平同期信号Ｈｓｙｎｃ、垂直同期信号Ｖｓｙｎｃに基づいて、液晶パネル６〜８を駆動するためのタイミングパルス（即ち、液晶パネル６〜８において、水平、および垂直の書き込み転送を制御するためのタイミングパルス）ＴＰを、液晶パネル６〜８に供給する。
【００４３】
そして、各液晶パネル６〜８において、タイミングコントローラ１０から供給されたタイミングパルスＴＰに基づいて、水平方向、および垂直方向の書き込み転送が制御されると同時に、液晶ドライバ３〜５により交流反転された映像信号Ｒ、Ｇ、Ｂが、所定の画素に書き込まれ、各液晶パネル６〜８に画像が形成される。
【００４４】
そして、各液晶パネル６〜８に形成された画像上を、光源（不図示）による光が透過して、赤色（Ｒ）、緑色（Ｇ）、青色（Ｂ）の映像光が生成する。生成した映像光は、クロスダイクロイックプリズム（不図示）に与えられるとともに、当該クロスダイクロックプリズムにより合成されてカラー映像光となる。そして、このカラー映像光は、投与レンズ（不図示）によって拡大投与され、当該投与レンズを経て、スクリーン上に投影される構成となっている。
【００４５】
以上に説明した本実施形態によれば、以下の効果を得ることができる。
（１）本実施形態の液晶プロジェクタ１においては、コンピュータ５０から入力された表示モード信号に基づいて、液晶パネル６〜８の表示モードを判定するとともに、判定した表示モードに基づいて、液晶ドライバ３〜５を介して、液晶パネル６〜８に印加される映像信号Ｒ、Ｇ、Ｂの振幅の最大値を設定する振幅設定部９を備える構成としている。従って、表示モード（例えば、動画モードや静止画モード）に基づいて、液晶パネル６〜８に印加される映像信号Ｒ、Ｇ、Ｂの振幅の最大値を設定することができる。その結果、液晶パネル６〜８に静止画を、長時間、表示した場合であっても、液晶パネル６〜８の焼き付きを効果的に抑制することが可能になるため、液晶パネル６〜８の焼き付きによる画像の劣化を防止することができる。また、液晶パネル６〜８に動画を表示する場合に、液晶パネル６〜８における高コントラストを維持することが可能になる。
【００４６】
（２）本実施形態の液晶プロジェクタ１においては、振幅設定部９が、表示モードが静止画モードであると判定した場合は、映像信号Ｒ、Ｇ、Ｂの振幅の最大値を、予め設定した複数の振幅値のうち、最も小さい振幅値に設定し、表示モードが動画モードであると判定した場合は、映像信号Ｒ、Ｇ、Ｂの振幅の最大値を、予め設定した複数の振幅値のうち、最も大きい振幅値に設定する構成としている。従って、簡単な構成で、静止画モードにおいて、液晶パネル６〜８の焼き付きを効果的に抑制することができるとともに、動画モードにおいて、液晶パネル６〜８における高コントラストを維持することができる。
【００４７】
（３）本実施形態の液晶プロジェクタ１においては、振幅設定部９が、映像信号Ｒ、Ｇ、Ｂの動きベクトルに基づいて、液晶パネル６〜８に表示される画像を判定するとともに、判定した画像に基づいて、映像信号Ｒ、Ｇ、Ｂの振幅の最大値を、再度、設定する構成としている。従って、液晶パネル６〜８に表示される画像の種類に対応して、液晶パネル６〜８に印加される映像信号Ｒ、Ｇ、Ｂの振幅の最大値を、再度、設定することができる。その結果、液晶パネル６〜８に静止画を表示する場合に、液晶パネル６〜８の焼き付きをより一層効果的に抑制することが可能になる。また、液晶パネル６〜８に動画を表示する場合に、液晶パネル６〜８における高コントラストをより一層効果的に維持することが可能になる。
【００４８】
（４）本実施形態の液晶プロジェクタ１においては、振幅設定部９が、画像が静止画であると判定した場合は、映像信号Ｒ、Ｇ、Ｂの振幅の最大値を、予め設定した複数の振幅値のうち、最も小さい振幅値に、再度、設定し、画像が動画であると判定した場合は、映像信号Ｒ、Ｇ、Ｂの振幅の最大値を、予め設定した複数の振幅値のうち、最も大きい振幅値に、再度、設定する構成としている。従って、簡単な構成で、静止画モードにおいて、液晶パネル６〜８の焼き付きをより一層効果的に抑制することができるとともに、動画モードにおいて、液晶パネル６〜８における高コントラストをより一層効果的に維持することができる。
【００４９】
（第２の実施形態）
次に、本発明の第２の実施形態について説明する。図６は、本発明の第２の実施形態に係る投射型映像表示装置の構成を示すブロック図であり、図７は、本発明の第２の実施形態に係る投射型映像表示装置の振幅設定部において、映像信号の振幅の最大値を設定する手順を示すフローチャートである。なお、本実施形態においても、投射型映像表示装置として、液晶プロジェクタを例に挙げて説明する。また、上記第１の実施形態と同様の構成部分については同一の符号を付して、その説明を省略する。
【００５０】
本実施形態においては、液晶プロジェクタ１は、ＣＰＵ１２に接続されたタイマー１８を備えている。そして、ＣＰＵ１２は、ＲＯＭ１３に記憶された、予め設定された液晶プロジェクタ１の起動時間Ｔ１（即ち、液晶パネル６〜８の焼き付きが発生する可能性のある、液晶プロジェクタ１の起動時間）と、タイマー１８により計測された、電源をＯＮした時点からの液晶プロジェクタ１の起動時間Ｔ２を比較し、当該比較の結果に基づいて、液晶パネル６〜８に印加される映像信号Ｒ、Ｇ、Ｂの振幅の最大値が最適な値となるように、振幅設定部９を制御する構成となっている。
【００５１】
より具体的には、ＣＰＵ１２は、リモコン信号受光部１６から電源ＯＮを示す信号を受け取ると、タイマー１８を駆動し、液晶プロジェクタ１の起動時間Ｔ２を計測するためのタイマー１８をＯＮの状態に切り替え、液晶プロジェクタ１の起動時間Ｔ２の計測が開始される（ステップＳ１１）。次いで、振幅設定部９は、上述の第１の実施形態において説明したステップＳ１〜ステップＳ５と同様の処理を行う（ステップＳ１２〜ステップＳ１６）。
【００５２】
次いで、ＣＰＵ１２は、ＲＯＭ１３に記憶された、予め設定された、液晶プロジェクタ１の起動時間Ｔ１と、タイマー１８により計測された液晶プロジェクタ１の起動時間Ｔ２を比較し、液晶プロジェクタ１の起動時間Ｔ２が、予め設定された起動時間Ｔ１より大きいか否か（即ち、起動時間Ｔ２が起動時間Ｔ１を越えたか否か）を判断する（ステップＳ１７）。そして、液晶プロジェクタ１の起動時間Ｔ２が、予め設定された起動時間Ｔ１を越えていない（即ち、Ｔ２≦Ｔ１）と判断した場合は、ＣＰＵ１２は、振幅設定部９に対して駆動信号を発生し、当該駆動信号に基づいて、振幅設定部９は、上述のステップＳ１４、Ｓ１６において設定した、液晶パネル６〜８に印加される映像信号の振幅の最大値を維持するように制御される（ステップＳ１８）。
【００５３】
より具体的には、上述のステップ１４において、表示モード信号に基づいて、動画モードであると判断した場合は、液晶パネル６〜８に印加される映像信号Ｒ、Ｇ、Ｂの振幅の最大値を、予め設定した複数の振幅値のうち、最も大きい振幅値（例えば、上述の振幅値Ｗ１）に設定した状態を維持する。また、上述のステップ１６において、表示モード信号に基づいて、静止画モードであると判断した場合は、液晶パネル６〜８に印加される映像信号Ｒ、Ｇ、Ｂの振幅の最大値を、予め設定した複数の振幅値のうち、最も小さい振幅値（例えば、上述の振幅値Ｗ３）に設定した状態を維持する。
【００５４】
一方、ＣＰＵ１２は、液晶プロジェクタ１の起動時間Ｔ２が、予め設定された起動時間Ｔ１を越えた（即ち、Ｔ２＞Ｔ１）と判断した場合は、ＣＰＵ１２は、液晶プロジェクタ１の長時間の起動に基づく、液晶パネル６〜８の画面の焼き付きが発生する可能性があるものと判断する。そして、ＣＰＵ１２は、振幅設定部９に対して駆動信号を発生し、当該駆動信号に基づいて、振幅設定部９は、上述のステップＳ１４、Ｓ１６において設定した、液晶パネル６〜８に印加される映像信号Ｒ、Ｇ、Ｂの振幅の最大値を、予め設定した複数の振幅値のうち、最も小さい振幅値に、再度、設定するように制御される（ステップＳ１９）。
【００５５】
より具体的には、上述のステップ１４において、表示モード信号に基づいて、動画モードであると判断した場合は、液晶パネル６〜８に印加される映像信号Ｒ、Ｇ、Ｂの振幅の最大値を、上述のステップＳ１５において設定された最も大きい振幅値（例えば、上述の振幅値Ｗ１）から、予め設定した複数の振幅値のうち、最も小さい振幅値（例えば、上述の振幅値Ｗ３）に、再度、設定する。また、上述のステップ１６において、表示モード信号に基づいて、静止画モードであると判断した場合は、液晶パネル６〜８に印加される映像信号の振幅の最大値を、予め設定した複数の振幅値のうち、最も小さい振幅値（例えば、上述の振幅値Ｗ３）に、再度、設定し、最も小さい振幅値に設定した状態を維持する。
【００５６】
このように、本実施形態においては、ＣＰＵ１２が、液晶プロジェクタ１の起動時間Ｔ２と、予め設定された起動時間Ｔ１との比較の結果に基づいて、振幅設定部９が、映像信号Ｒ、Ｇ、Ｂの振幅の最大値を、再度、設定するように、振幅設定部９を制御する構成としている。従って、液晶プロジェクタ１の起動時間Ｔ２に対応して、液晶パネル６〜８に印加される映像信号Ｒ、Ｇ、Ｂの振幅の最大値を、再度、設定することができる。
【００５７】
以上のようにして、振幅設定部９に入力される全ての映像信号Ｒ、Ｇ、Ｂに対して、起動時間Ｔ１、Ｔ２の比較が終了すると、液晶パネル６〜８に印加される映像信号Ｒ、Ｇ、Ｂの振幅の最大値を設定する作業が終了する。一方、振幅設定部９に入力される全ての映像信号Ｒ、Ｇ、Ｂに対して、起動時間Ｔ１、Ｔ２の比較が終了していない場合は、上述のステップＳ１７〜ステップＳ１９の作業が繰り返される（ステップＳ２０）。
【００５８】
次いで、振幅の最大値が設定された映像信号は、振幅設定部９により、液晶ドライバ３〜５へと出力され、液晶ドライバ３〜５は、当該映像信号に基づいて、液晶パネル６〜８を駆動する。そして、各液晶パネル６〜８に形成された画像上を、光源による光が透過して、赤色（Ｒ）、緑色（Ｇ）、青色（Ｂ）の映像光が生成する。生成した映像光は、クロスダイクロイックプリズムにより合成されてカラー映像光となる。そして、このカラー映像光は、投与レンズによって拡大投与され、当該投与レンズを経てスクリーン上に投影される構成となっている。
【００５９】
以上に説明した本実施形態によれば、上述の（１）、（２）の効果に加えて、以下の効果を得ることができる。
（５）本実施形態の液晶プロジェクタ１においては、予め設定された液晶プロジェクタ１の起動時間Ｔ１を記憶するＲＯＭ１３と、電源をＯＮした時点から液晶プロジェクタ１の起動時間Ｔ２を計測するタイマー１８と、振幅設定部９を制御するＣＰＵ１２とを備える構成としている。そして、ＣＰＵ１２は、起動時間Ｔ１、Ｔ２を比較し、比較の結果に基づいて、振幅設定部９が、映像信号Ｒ、Ｇ、Ｂの振幅の最大値を、再度、設定するように、振幅設定部９を制御する構成としている。従って、液晶プロジェクタ１が長時間、起動される場合においても、コントラストが良い状態を最大限に維持しながら、液晶パネル６〜８の焼き付きをより一層効果的に抑制することが可能になる。
【００６０】
（６）本実施形態の液晶プロジェクタ１においては、ＣＰＵ１２は、起動時間Ｔ２が、起動時間Ｔ１を越えた場合に、映像信号Ｒ、Ｇ、Ｂの振幅の最大値を、予め設定した複数の振幅値のうち、最も小さい振幅値に、再度、設定するように、振幅設定部９を制御する構成としている。従って、簡単な構成で、液晶プロジェクタ１が長時間、起動される場合においても、コントラストが良い状態を最大限に維持しながら、液晶パネル６〜８の焼き付きをより一層効果的に抑制することが可能になる。
【００６１】
なお、上記実施形態は以下のように変更しても良い。
・上述の第１の実施形態においては、映像信号Ｒ、Ｇ、Ｂの動きベクトルにより判定した画像に基づいて、映像信号Ｒ、Ｇ、Ｂの振幅の最大値を設定する構成としたが、動きベクトルに基づく振幅の最大値の設定後、上述の第２の実施形態において説明した、ＣＰＵ１２による、起動時間Ｔ１、Ｔ２の比較の結果に基づいて、振幅設定部９が、映像信号Ｒ、Ｇ、Ｂの振幅の最大値を、再度、設定するように、振幅設定部９を制御する構成としてもよい。このような構成により、第１の実施形態においても、上述の（５）、（６）の効果を得ることが可能になる。
【００６２】
・また、上記実施形態においては、投射型映像表示装置として、液晶パネルを用いた液晶プロジェクタを示したが、本発明は、他の映像光生成系を備える投射型映像表示装置においても適用することができる。
【００６３】
・また、前面投射型の映像表示装置や、背面投射型の映像表示装置においても、本発明を適用することができる。
【産業上の利用可能性】
【００６４】
本発明の活用例としては、液晶プロジェクタ等の投射型映像表示装置が挙げられる。
【図面の簡単な説明】
【００６５】
【図１】本発明の第１の実施形態に係る投射型映像表示装置の構成を示すブロック図である。
【図２】液晶パネルに印加される映像信号の電圧と、透過率との関係を示す図である。
【図３】（ａ）〜（ｃ）は、振幅の最大値の異なる３つの映像信号を示す図である。
【図４】振幅の最大値の異なる映像信号を、静止画モードにおいて、液晶パネルに印加した場合の、映像信号と画面の焼き付き率との関係を示す図である。
【図５】本発明の第１の実施形態に係る投射型映像表示装置の振幅設定部において、映像信号の振幅の最大値を設定する手順を示すフローチャートである。
【図６】本発明の第２の実施形態に係る投射型映像表示装置の構成を示すブロック図である。
【図７】本発明の第２の実施形態に係る投射型映像表示装置の振幅設定部において、映像信号の振幅の最大値を設定する手順を示すフローチャートである。
【符号の説明】
【００６６】
１…液晶プロジェクタ、２…信号処理部、３…赤色用液晶ドライバ、４…緑色用液晶ドライバ、５…青色用液晶ドライバ、６…赤色用液晶パネル、７…緑色用液晶パネル、８…青色用液晶パネル、９…振幅設定部（振幅設定手段）、１２…ＣＰＵ（制御手段）、１３…ＲＯＭ（記憶手段）、１８…タイマー（計測手段）、５０…コンピュータ、Ｂ…映像信号、Ｇ…映像信号、Ｒ…映像信号、Ｓ１…映像信号、Ｓ２…映像信号、Ｓ３…映像信号、Ｔ１…予め設定された液晶プロジェクタの起動時間、Ｔ２…タイマーにより計測された、電源をＯＮした時点からの液晶プロジェクタ１の起動時間、Ｗ１…映像信号Ｓ１の振幅の最大値、Ｗ２…映像信号Ｓ２の振幅の最大値、Ｗ３…映像信号Ｓ３の振幅の最大値
【図１】
2008089878.tif 000003
【図２】
2008089878.tif 000004
【図３】
2008089878.tif 000005
【図４】
2008089878.tif 000006
【図５】
2008089878.tif 000007
【図６】
2008089878.tif 000008
【図７】
2008089878.tif 000009